(57)【要約】      （修正有）【課題】定形郵便物等及び定形外郵便物等を容易、簡単に取出すことのできる郵便受けポストを提供する。【解決手段】ポスト本体１内の上下部に搬入空所３、収容空所４を区画する。収容空所４内に定形郵便物Ｙを収容する定形収容室１４及び定形郵便物Ｚを収容する定形外収容室１５を区画する。搬入空所３及び定形収容室１４又は定形外収容室１５に開口する定形投函口１６及び定形外投函口１７を有する。ポスト本体１外及び定形収容室１４又は定形外収容室１５に開口する定形取出口１８及び定形外取出口１９を有し、各取出口１８，１９を取出口開閉扉２０で同時に開閉するように構成する。【選択図】図５
0003186948.tif 000002
【実用新案登録請求の範囲】
【請求項１】
ポスト本体と、
前記ポスト本体内に配置され、前記ポスト本体内の上下部に空所を区画する投函板体と、
前記投函板体から前記ポスト本体内の上部に区画され、定形郵便物等及び定形外郵便物等を搬入する搬入空所と、
前記投函板体から前記ポスト本体内の下部に区画され、前記定形郵便物等及び前記定形外郵便物等を収容する収容空所と、
前記収容空所内に区画され、前記定形郵便物等を収容する定形収容室と、
前記収容空所内に区画され、前記定形外郵便物等を収容する定形外収容室と、
前記投函板体に形成され、前記搬入空所及び前記定形収容室に開口して前記定形郵便物等のみを前記定形収容室に投函可能な定形投函口と、
前記投函板体に形成され、前記搬入空所及び前記定形外収容室に開口して前記定形外郵便物等を前記定形外収容室に投函可能な定形外投函口と、
前記ポスト本体の上部において、前記ポスト本体外及び前記搬入空所に開口して前記定形郵便物等及び前記定形外郵便物等を前記搬入空所に搬入可能な搬入口と、
前記ポスト本体の上部に配置され、前記搬入口を開閉する搬入口開閉扉と、
前記ポスト本体の下部において、前記ポスト本体外及び前記定形収容室に開口して前記定形郵便物等を前記定形収容室から取出可能な定形取出口と、
前記ポスト本体の下部において、前記ポスト本体外及び前記定形外収容室に開口して前記定形外郵便物等を前記定形外収容室から取出可能な定形外取出口と、
前記ポスト本体の下部に配置され、前記定形取出口及び前記定形外取出口を開閉する取出口開閉扉と、
を備え、
前記取出口開閉扉は、
前記定形取出口及び前記定形外取出口の共通扉として、前記各取出口を同時に開閉する
ことを特徴とする郵便受けポスト。
【請求項２】
前記定形投函口、及び前記定形外投函口は、
前記搬入口から、前記定形投函口、前記定形外投函口の順に配置される
ことを特徴とする請求項１に記載の郵便受けポスト。
【請求項３】
前記定形外投函口を開閉する一対の抜取防止扉と、
前記各抜取防止扉を前記投函板体に回転自在に支持し、前記定形外投函口を閉じる閉位置に前記各抜取防止扉を付勢するバネ材を有する複数のバネ付蝶番と、
を備え、
前記各抜取防止扉は、
前記閉位置から、前記各バネ付蝶番のバネ材に抗して前記定形外収容室内に回転され、
前記抜取防止扉相互で離間しつつ前記定形外収容室内に回転される
ことを特徴とする請求項１又は２に記載の郵便受けポスト。
【考案の詳細な説明】
【技術分野】
【０００１】
本考案は、投函される定形郵便物等及び定形外郵便物等を収容する郵便受けポストに関する。
【背景技術】
【０００２】
郵便受けポストとして、特許文献１は、ポスト本体、狭い投函口、投函口、蓋、取出扉、収納箱を備える郵便等受け箱を開示する。
【０００３】
特許文献１では、ポスト本体の上面に狭い投函口及び投函口を開口し、郵便物等を各投函口からポスト本体内又は収納箱内に投函する。投函された郵便物は、ポスト本体の取出扉を開き、ポスト本体内から郵便物等を取出し、更に収納箱を開いて収納箱内から郵便物等を取出す。
【先行技術文献】
【特許文献】
【０００４】
【特許文献１】特開２００６−２３９４２号公報
【考案の概要】
【考案が解決しようとする課題】
【０００５】
特許文献１では、収納箱内に投函された郵便物等は、取出扉でポスト本体を開き、更に収納箱を開かなければ、郵便物等を取出せず、郵便物等の取出しが煩雑である。
【０００６】
本考案は、定形郵便物等及び定形外郵便物等を簡単、容易に取出すことのできる郵便受けポストを提供することにある。
また、本考案は、厚みのある定形外郵便物等を収容できる郵便受けポストを提供することにある。
更に、定形外郵便物等の抜取りを抑制、防止できる郵便受けポストを提供することにある。
【課題を解決するための手段】
【０００７】
本考案に係る請求項１は、ポスト本体と、前記ポスト本体内に配置され、前記ポスト本体内の上下部に空所を区画する投函板体と、前記投函板体から前記ポスト本体内の上部に区画され、定形郵便物等及び定形外郵便物等を搬入する搬入空所と、前記投函板体から前記ポスト本体内の下部に区画され、前記定形郵便物等及び前記定形外郵便物等を収容する収容空所と、前記収容空所内に区画され、前記定形郵便物等を収容する定形収容室と、前記収容空所内に区画され、前記定形外郵便物等を収容する定形外収容室と、前記投函板体に形成され、前記搬入空所及び前記定形収容室に開口して前記定形郵便物等のみを前記定形収容室に投函可能な定形投函口と、前記投函板体に形成され、前記搬入空所及び前記定形外収容室に開口して前記定形外郵便物等を前記定形外収容室に投函可能な定形外投函口と、前記ポスト本体の上部において、前記ポスト本体外及び前記搬入空所に開口して前記定形郵便物等及び前記定形外郵便物等を前記搬入空所に搬入可能な搬入口と、前記ポスト本体の上部に配置され、前記搬入口を開閉する搬入口開閉扉と、前記ポスト本体の下部において、前記ポスト本体外及び前記定形収容室に開口して前記定形郵便物等を前記定形収容室から取出可能な定形取出口と、前記ポスト本体の下部において、前記ポスト本体外及び前記定形外収容室に開口して前記定形外郵便物等を前記定形外収容室から取出可能な定形外取出口と、前記ポスト本体の下部に配置され、前記定形取出口及び前記定形外取出口を開閉する取出口開閉扉と、を備え、前記取出口開閉扉は、前記定形取出口及び前記定形外取出口の共通扉として、前記各取出口を同時に開閉することを特徴とする郵便受けポストに関する。
【０００８】
本考案に係る請求項２は、前記定形投函口、及び前記定形外投函口は、前記搬入口から、前記定形投函口、前記定形外投函口の順に配置されることを特徴とする請求項１に記載の郵便受けポストに関する。
【０００９】
本考案に係る請求項３は、前記定形外投函口を開閉する一対の抜取防止扉と、前記各抜取防止扉を前記投函板体に回転自在に支持し、前記定形外投函口を閉じる閉位置に前記各抜取防止扉を付勢するバネ材を有する複数のバネ付蝶番と、を備え、前記各抜取防止扉は、前記閉位置から、前記各バネ付蝶番のバネ材に抗して前記定形外収容室内に回転され、前記各抜取防止扉相互で離間しつつ前記定形外収容室内に回転されることを特徴とする請求項１又は２に記載の郵便受けポストに関する。
【考案の効果】
【００１０】
本考案に係る請求項１では、搬入口開閉扉で搬入口を開いて、搬入空所をポスト本体外に開放する。郵便事業者又は宅配事業者は、定形郵便物等及び定形外郵便物等を搬入口から搬入空所内に搬入する。定形郵便物等は、定形投函口から定形収容室内に投函する。定形外郵便物等は、定形外投函口から定形外収容室内に投函する。
これにより、定形郵便物等及び定形外郵便物等は、別々に定形収容室、定形外収容室に収容できる。定形外郵便物等は、専用の定形収容室内に収容できる。
郵便受けポストの所有者等（宛先の居住者）は、取出口開閉扉で定形取出口、及び定形外取出口を開いて、定形収容室及び定形外収容室をポスト本体外に開放する。定形郵便物等は、定形取出口を通して定形収容室から取出し、定形外郵便物等は、定形外取出口を通して定形外収容室から取出す。
これにより、郵便受けポストの所有者等は、定形取出口及び定形外取出口に共通の取出口開閉扉を操作するだけで、定形取出口及び定形外取出口を同時に開くことができる。また、定形郵便物等、定形外郵便物等を取出し後、定形取出口及び定形外取出口に共通の取出口開閉扉を操作するだけで、定形取出口及び定形外取出口を同時に閉じることができる。
本考案に係る請求項１において、定形郵便物等は、郵便事業者の取扱う定形郵便物、例えば官製はがき（１００ｍｍ×１４８ｍｍ）、定形封筒である長形３号（１２０ｍｍ×２３５ｍｍ）、長形４号（９０ｍｍ×２０５ｍｍ）等であって、厚さ１０ｍｍ以下である。定形郵便物等は、宅配業者の取扱う宅配はがき、宅配封筒等を含む。
定形外郵便物等は、郵便事業者及び宅配事業者の取扱う定形郵便物等以外である。定形外郵便物等は、角形１号（２７０ｍｍ×３８２ｍｍ）、角形２号（２４０ｍｍ×３３２ｍｍ）等、Ａ４サイズ（２１０ｍｍ×２９７ｍｍ）、Ｂ５サイズ（１８２ｍｍ×２５７ｍｍ）のカタログ、雑誌及び書籍等である。定形外郵便物等は、厚さ１０ｍｍを超えるものを含む。
定形投函口は、投函口幅寸法：１３０ｍｍ×投函口奥行き寸法１５〜２０ｍｍの矩形に形成することで、定形郵便物等を定形収容室に投函できる。定形外投函口は、投函口幅寸法：１３０ｍｍ×投函口奥行き寸法：２８０〜２９２ｍｍの矩形に形成することで、定形外郵便物等を定形収容室に投函でき、特に、厚さ１０ｍｍを超える定形外郵便物等も投函できる。
【００１１】
本考案に係る請求項２では、搬入口（搬入口開閉扉）から定形投函口、定形外投函口の順に配置するので、定形外収容室から定形外郵便物を抜取ることが難しくなる。
これにより、定形外郵便物等を定形外収容室から抜取ることを抑制できる。
【００１２】
本考案に係る請求項３では、定形外郵便物等を定形外収容室から抜取る際、手、腕を手定形外投函口に挿入する。各抜取防止扉は、手、腕の挿入によって、閉位置から各バネ付蝶番のバネ材の付勢力（バネ力）に抗して、定形外収容室内に回転する。また、各抜取防止扉相互は、離間しつつ定形外収容室内に回転されるので、手、腕は各抜取防止扉間から定形形収容室内に挿入でき、定形外収容室に収容された定形外郵便物等を掴むことができる。しかしながら、手、腕を定形外収容室から定形外郵便物等と共に抜取る際、各抜取防止扉は、各バネ付蝶番のバネ材の付勢力によって閉位置に戻されるので、各抜取防止扉で定形外郵便物等の抜取りが阻止される。
これにより、定形郵便物等を定形外収容室から抜取ることを防止できる。
【００１３】
本考案に係る請求項１〜３では、各抜取防止扉は、光透過性樹脂で形成する構成も採用できる。
また、本考案に係る請求項１〜３では、ポスト本体内に配置される発光素子を備え、発光素子は、定形投函口又は／及び定形外投函口（又は光透過性樹脂の各抜取防止扉）に光照射する構成も採用できる。
【図面の簡単な説明】
【００１４】
【図１】本考案に係る郵便受けポストを示す斜視図である。
【図２】本考案に係る郵便受けポストを示す図であって、搬入口開閉扉を開いた状態の斜視図である。
【図３】本考案に係る郵便受けポストを示す表面図である。
【図４】本考案に係る郵便受けポストを示す裏面図である。
【図５】本考案に係る郵便受けポストを示す図であって、図３のＡ−Ａ断面図である。
【図６】本考案に係る郵便受けポストを示す図であって、図５のＢ―Ｂ矢視図である。
【図７】搬入開閉扉を示す図であって、（ａ）は図５のＣ−Ｃ断面拡大図、（ｂ）は図７（ａ）のＤ−Ｄ断面拡大図、（ｃ）は図３のＥ−Ｅ矢視拡大図である。
【図８】取出口開閉扉を示す図であって、（ａ）は閉位置にある取出口開閉扉の図５のＦ−Ｆ断面図、（ｂ）は開いた状態にある取出口開閉扉の図５のＦ−Ｆ断面図である。
【図９】取出口開閉扉を示す図であって、図１のＧ−Ｇ断面拡大図である。
【図１０】抜取防止扉、及びバネ付蝶番を示す図であって、図６の一部拡大図である。
【図１１】抜取防止扉、及びバネ付蝶番を示す図であって、図１０のＨ−Ｈ矢視図である。
【図１２】他の抜取防止扉、及びバネ付蝶番を示す図であって、図６のＩ−Ｉ矢視図である。
【考案を実施するための形態】
【００１５】
本考案に係る郵便受けポストについて、図１乃至図１２を参照して説明する。
【００１６】
図１乃至図１１において、郵便受けポストＸは、定形郵便物等Ｙ及び定形外郵便物等Ｚを別々に投函し、定形郵便物等Ｙ及び定形外郵便物等Ｚを別々に収容する。
定形郵便物等Ｙは、郵便事業者又は宅配業者の取扱う（配達する）官製はがき、長形３号及び長形４号等の定形封筒である。定形郵便物等Ｙの厚さは１０ｍｍ以下である。
定形外郵便物等Ｚは、郵便事業者又は宅配事業者（以下、「郵便事業者等」という）の取扱う定形郵便物等Ｙ以外の郵便物等である。定形外郵便物等Ｚは、例えば角形１号、角形２号等の定形外封筒、Ａ４サイズ又はＢ５サイズのカタログ及び雑誌、書籍等である。定形外郵便物等Ｚの厚みは、１０ｍｍを超えるものを含む。
【００１７】
図１乃至図１１において、郵便受けポストＸは、ポスト本体１、投函板体２、搬入空所３、及び収容空所４を備える。
【００１８】
ポスト本体１は表側板体１Ａ、裏側板体１Ｂ、天側板体１Ｃ、底側板体１Ｄ、左側板体１Ｅ及び右側板体１Ｆで直方体（中空直方体）に形成される。ポスト本体１は、上下方向ＵＤの本体高さ寸法Ｌ、左右方向ＬＲの本体幅寸法Ｈ、及び表裏方向ＦＲ（前後方向）の本体奥行き寸法Ｔを有する。左右方向ＬＲは上下方向ＵＤ及び表裏方向ＦＲに直交し、表裏方向ＦＲは上下方向ＵＤ及び左右方向ＬＲに直交する。
【００１９】
投函板体２は、ポスト本体１内に配置され、ポスト本体１内の上下部に空所３，４を区画する。投函板体２は、ポスト本体１の天側板体１Ｃに間隔δ１を隔てて、天側板体２に平行配置される（図５参照）。
投函板体２は、ポスト本体１の裏側板体１Ｂ、及び左右側板体１Ｅ，１Ｆに固定される。
【００２０】
搬入空所３は、投函板体２からポスト本体１内の上部に区画され、定形郵便物等Ｙ及び定形外郵便物等Ｚを搬入する。
搬入空所３は、投函板体２、ポスト本体１の裏側板体１Ｂ、天側板体１Ｃ及び左右側板体１Ｅ，１Ｆで区画される。
【００２１】
収容空所４は、投函板体２からポスト本体１内の下部に区画され、定形郵便物等Ｙ及び定形外郵便物等Ｚを収容する。
収容空所４は、投函板体２、ポスト本体１の表裏側板体１Ａ，１Ｂ、底側板体１Ｄ及び左右側板体１Ｅ，１Ｆで区画される。
【００２２】
図１乃至図１１において、郵便受けポストＸは、搬入口５、及び搬入口開閉扉６を備える。
【００２３】
搬入口５は、ポスト本体１の上部において、ポスト本体１外及び搬入空所３に開口して、定形郵便物等Ｙ及び定形外郵便物等Ｚを搬入空所３に搬入可能である。
搬入口５は、表裏方向ＦＲにおいて、ポスト本体１の表側板体１Ａに開口する。
搬入口５は、投函板体２、ポスト本体１の裏側板体１Ｂ、天側板体１Ｃ及び左右側板体１Ｅ，１Ｆで区画される。
【００２４】
搬入口開閉扉６は、ポスト本体１の上部に配置され、搬入口５を開閉する。
搬入口開閉扉６は、表裏方向ＦＲにおいて、パネル本体１の表側板体１Ａ側に配置される。
搬入口開閉扉６は、図６及び図７に示すように、複数の回転軸８，９を有し、左右方向ＬＲにおいて、左側板体１Ｅ側で回転自在にポスト本体１に軸支される。各回転軸８，９は、上下方向ＵＤに軸心を有する。回転軸８は、支持板体１０を介して搬入口開閉扉６の上端６Ａを天側板体１Ｃに軸支する。回転軸９は、支持板体１１を介して搬入口開閉扉６の下端６Ｂを表側板体１Ａに軸支する（図７参照）。
搬入口開閉扉６は、各回転軸８，９を中心に左右方向ＬＲ及び表裏方向ＦＲに回転され、搬入口５を開閉する。
【００２５】
図１乃至図１１において、郵便受けポストＸは、定形受け板体１２、定形外受け板体１３、定形収容室１４及び定形外収容室１５を備える。
【００２６】
定形受け板体１２は、収容空所４内において、ポスト本体１の表裏側板体１Ａ，１Ｂ間、投函板体２及び底側板体１Ｄ間に位置して配置される。
定形受け板体１２は、定形受け縦板１２Ａ及び定形受け横板１２ＢでＬ字形に形成される。定形受け縦板１２Ａは、ポスト本体１の表側板体１Ａに間隔δ２を隔てて、表側板体１Ａに平行配置される（図５参照）。
定形受け縦板１２Ａは、ポスト本体１の裏側板体１Ｂに間隔δ３を隔てて、裏側板体１Ｂに平行配置される（図５参照）。
定形受け縦板１２Ａは、上下方向ＵＤにおいて、投函板体２から底側板体１Ｄに向けて延在し、上下寸法Ｌ１を有する。定形受け縦板１２Ａは、投函板体２、ポスト本体１の左右側板体１Ｅ，１Ｆに固定される。
定形受け横板１２Ｂは、図５に示すように、上下方向ＵＤにおいて、投函板体２に間隔δ４（上下寸法Ｌ１）を隔てて、投函板体２に平行配置される。定形受け横板１２Ｂは、表裏方向ＦＲにおいて、ポスト本体１の表側板体１Ａから定形受け縦板１２Ａまで延在し、奥行き寸法Ｔ１（間隔δ２）を有する。定形受け横板１２Ｂは、定形受け縦板１２Ａの下端に連続し、ポスト本体１の表側板体１Ａ、及び左右側板体１Ｅ，１Ｆに固定される。
【００２７】
定形外受け板体１３は、図５に示すように、収容空所４内に配置され、上下方向ＵＤにおいて、定形受け横板１２Ｂ及び裏側板体１Ｂ間に位置される。
定形外受け板体１３は、上下方向ＵＤにおいて、投函板体２に間隔δ５を隔てて、定形受け横板１２Ｂ及び投函板体２に平行配置される。
定形外受け板体１３は、表裏方向ＦＲにおいて、ポスト本体１の表裏側板体１Ａ，１Ｂ間に延在される。
定形外受け板体１３は、ポスト本体１の表裏側板体１Ａ，１Ｂ、及び左右側板体１Ｅ，１Ｆに固定される。
【００２８】
定形収容室１４は、収容空所４内に区画され、定形郵便物等Ｙを収容する。定形収容室１４は、投函板体２、ポスト本体１の表側板体１Ａ、左右側板体１Ｅ，１Ｆ、及び定形受け板体１２で区画される。
これにより、定形収容室１４は、ポスト本体１の表側板体１Ａ側であって、収容空所４の上部に区画される。
【００２９】
定形外収容室１５は、収容空所４内に区画され、定形外郵便物等Ｚを収容する。定形外収容室１５は、表裏方向ＦＲにおいて、定形受け板体１２（定形受け縦板１２Ａ）及び裏側板体１Ｂ間、及び上下方向ＵＤにおいて、定形受け板体１２（定形受け横板１２Ｂ）及び定形外受け板体１３間に連続して形成される。
定形外収容室１３は、投函板体１２、ポスト本体１の表裏側板体１Ａ，１Ｂ、左右側板体１Ｅ，１Ｆ、定形受け板体１２及び定形外受け板体１３で区画される。
これにより、定形外収容室１５は、表裏方向ＦＲにおいて、搬入口５から定形収容室１４に続いて区画される。即ち、定形収容室１４、及び定形外収容室１５は、表裏方向ＦＲにおいて、搬入口５（搬入口開閉扉６）から定形収容室１４、定形外収容室１５の順に区画される。
【００３０】
図１乃至図１１において、郵便受けポストＸは、定形投函口１６及び定形外投函口１７を備える。
【００３１】
定形投函口１６は、投函板体２に形成される。定形投函口１６は、上下方向ＵＤにおいて、搬入空所３及び定形収容室１４に開口して、定形郵便物等Ｙのみを定形収容室１４に投函可能である。
定形投函口１６は、例えば、矩形口に形成され、左右方向ＬＲの投函口幅寸法Ｈ１、表裏方向ＦＲの投函口奥行き寸法Ｔ１を有する（図６参照）。
【００３２】
定形外投函口１７は、投函板体２に形成される。定形外投函口１７は、上下方向ＵＤにおいて、搬入空所３及び定形外収容室１５に開口して、定形外郵便物等Ｚを定形外収容室１５に投函可能である。
定形外投函口１７は、例えば、矩形口に形成され、左右方向ＬＲの投函口幅寸法Ｈ１、及び表裏方向ＦＲの投函口奥行き寸法Ｔ２を有する（図６参照）。
【００３３】
定形投函口１６、及び定形外投函口１７は、表裏方向ＦＲにおいて、搬入口５（搬入口開閉扉６）から、定形投函口１１、定形外投函口１７の順に並列して配置される。
定形投函口１６は、表裏方向ＦＲにおいて、搬入口５側に配置され、定形外投函口１７は、定形投函口１６及びポスト本体１の裏側板体１Ｂ間に配置される。
【００３４】
図１乃至図１１において、郵便受けポストＸは、定形取出口１８、定形外取出口１９及び取出口開閉扉２０を備える。
【００３５】
定形取出口１８は、ポスト本体１の下部において、ポスト本体１外及び定形収容室１４に開口して、定形郵便物等Ｙを定形収容室１４から取出可能である。
定形取出口１８は、左右方向ＬＲにおいて、例えば左側板体１Ｅに開口する。
【００３６】
定形外取出口１９は、ポスト本体１の下部において、ポスト本体１外及び定形外収容室１５に開口して、定形外郵便物等Ｚを定形外収容室１５から取出可能である。
定形外取出口１９は、左右方向ＬＲにおいて、例えば左側板体１Ｅに開口する。
【００３７】
定形取出口１８、及び定形外取出口１９は、左右方向ＬＲ（同一方向）において、同一の左側板体１Ｅに開口され、表裏方向ＦＲにおいて、ポスト本体１の表裏側板体１Ａ，１Ｂ間に渡って開口する。
また、定形取出口１８及び定形外取出口１９は、上下方向ＵＤにおいて、投函板体２及び定形外受け板体１３間に渡って開口する。
【００３８】
取出口開閉扉２０は、ポスト本体１の下部に配置され、定形取出口１８及び定形外取出口１９を開閉する。
取出口開閉扉２０は、左右方向ＬＲ（取出口１８，１９と同一方向）において、ポスト本体１の左側板体１Ｅ側に配置される。
取出口開閉扉２０は、定形取出口１８及び定形外取出口１９の共通扉として、定形取出口１８及び定形外取出口１９を同時に開閉する。
取出口開閉扉２０は、図８及び図９に示すように、複数の回転軸２１，２２及びダイヤル錠２３を有し、ポスト本体１に回転自在に軸支される。各回転軸２１，２２は、表裏方向ＦＲに軸心を有する。
回転軸２１は、表裏方向ＦＲの表側において、支持板体２４を介して取出口開閉扉２０の下端２０Ａを左側板体１Ｅに軸支する。
回転軸２２は、表裏方向ＦＲの裏側において、支持板体２５を介して取出口開閉扉２０の下端２０Ａを左側板体１Ｅに軸支する。
取出口開閉扉２０は、各回転軸２１，２２を中心に上下方向ＵＤ及び左右方向ＬＲに回転され、定形取出口１８及び定形外取出口１９を同時に開閉する。
【００３９】
ダイヤル錠２３は、上下方向ＵＤにおいて、取出口開閉扉２０の上端側に固定される。ダイヤル錠２３は、爪板２３Ａを収容空所４（定形収容室１８）内からポスト本体１の左側板体１Ｅに当接して、取出口開閉扉２０を閉位置に保持する。取出口開閉扉２０の閉位置は、定形取出口１８及び定形外取出口１９を取出口開閉扉２０で閉じる位置である。
【００４０】
図１乃至図１１において、郵便受けポストＸは、複数（一対）の左右側・抜取防止扉２６，２７、及び複数の左側・バネ付蝶番２８，２９、及び複数の右側・バネ付蝶番３０，３１を備える。
【００４１】
左右側・抜取防止扉２６，２７は、定形外投函口１７を開閉する。
左側・抜取防止扉２６は、左右方向ＬＲにおいて、定形外投函口１７内の左側に配置され、右側・抜取防止扉２７は定形外投函口１７内の右側に配置される。
左右側・抜取防止扉２６，２７は、閉位置Ｆにおいて、左右方向ＬＲに隙間を隔てて平行配置（非接触で平行配置）される。
左右側・抜取防止扉２６，２７は、表裏方向ＦＲに延在し、閉位置Ｆにおいて、定形外投函口１７を閉じる。閉位置Ｆは、定形外投函口１７を左右側・抜取防止扉２６，２７で閉じる位置である。
【００４２】
左右側・バネ付蝶番２８〜３１は、図６、図１０及び図１１に示すように、左右側・抜取防止扉２６，２７を回転自在に軸支する。
各バネ付蝶番２８〜３１は、蝶番軸３２、蝶番軸３２に回転自在に支持される一対の蝶番板片３３，３４、及び蝶番軸３２に装着されるコイルバネ３５を有する。
【００４３】
左側・バネ付蝶番２８，２９は、蝶番軸３２を表裏方向ＦＲに向けて、定形外投函口１７の左側に配置される。左側・バネ付蝶番２８，２９は、表裏方向ＦＲに間隔を隔てて配置され、蝶番板片３３を投函板体２に固定する。左側・バネ付蝶番２８，２９は、蝶番板片３４を左側・抜取防止扉２６に固定する。
左側・バネ付蝶番２８，２９において、各コイルバネ３５は、一端部３５Ａを蝶番板片３３（投函板体２）に当接し、他端部３５Ｂを蝶番板片３４（左側・抜取防止扉２６）に当接して、バネ力（付勢力）によって左側・抜取防止扉２６を閉位置に付勢する（図１０、図１１参照）。
左側・抜取防止扉２６は、左側・バネ付蝶番２８，２９のコイルバネ３５の付勢力（バネ力）によって止板片５１に当接され、閉位置に保持される。止板片５１は、搬入空所３内において、定形外投函口１７の左側で投函板体２に固定される。止板片５１は、定形外投函口１７内に突出して、左側・抜取防止扉２６に当接可能に配置される（図１０及び図１１参照）。
【００４４】
右側・バネ付蝶番３０，３１は、蝶番軸３２を表裏方向ＦＲに向けて、定形外投函口１７の右側に配置され、蝶番板片３３を投函板体２に固定する。右側・バネ付蝶番３０，３１は、表裏方向ＦＲに間隔を隔てて配置される。右側・バネ付蝶番３０，３１は、蝶番板片３４を右側・抜取防止扉２７に固定する。右側・バネ付蝶番３０，３１において、各コイルバネ３５は、一端部３５Ａを蝶番板片３３（投函板体２）に当接し、他端部３５Ｂを蝶番板片３４（右側・抜取防止扉２７）に当接して、バネ力（付勢力）によって右側・抜取防止扉２７を閉位置Ｆに付勢する（図１０、図１１参照）。
右側・抜取防止扉２７は、右側・バネ付蝶番３０，３１のコイルバネ３５の付勢力（バネ力）によって止板片５２に当接され、閉位置に保持される。止板片５１は、搬入空所３内において、定形外投函口１７の右側で投函板体２に固定される。止板片５２は、定形外投函口１７内に突出して、右側・抜取り防止扉２７に当接可能に配置される（図１０及び図１１参照）。
【００４５】
左右側・抜取防止扉２６，２７は、各バネ付蝶番２８〜３１の各コイルバネ３５のバネ力（付勢力）に抗して、各蝶番軸３２を中心に上下方向ＵＤ及び左右方向ＬＲに回転される。
左右側・抜取防止扉２６，２７は、定形外収容室１９内に回転され、各抜取防止扉２６，２７相互に離間しつつ定形外収容室１９内に回転される（観音開きする）。
また、左右側、抜取防止扉２６，２７は、各バネ付蝶番２８〜３１のコイルバネ３５のバネ力（付勢力）で閉位置に付勢される。
【００４６】
郵便受けポストＸにおいて、郵便業者等は、搬入口開閉扉６を回転し、搬入口５を開く。
郵便業者等は、定形郵便物等Ｙ、又は定形外郵便物等Ｚを搬入口５から搬入空所３に搬入する。
【００４７】
定形郵便物等Ｙは、定形投函口１６から定形収容室１４に投函される。定形郵便物等Ｙは、定形収容室１４内において、定形受け板体１２の定形受け横板１２Ｂ上に載置される。
【００４８】
定形外郵便物等Ｚは、定形外投函口１７から定形外収容室１５に投函される。郵便事業者等は、定形外郵便物等Ｚを搬入空所３側から左右側・抜取防止扉２６，２７を押付ける。これにより、左右側・抜取防止扉２６，２７は、各バネ付蝶番２８〜３１のコイルバネ３５のバネ力（付勢力）に抗して、閉位置Ｆから定形外収容室１５内に回転され、定形外郵便物等Ｚを定形外収容室１５に投函可能にする。
定形外郵便物等Ｚは、定形外収容室１５において、定形外受け板体１３上に載置される。
定形外郵便物等Ｚを定形外収容室１５に投函すると、左右側・抜取防止扉２６，２７は、各バネ付蝶番２８〜３１のコイルバネ３５のバネ力（付勢力）で閉位置Ｆに回転され、閉位置Ｆに付勢（保持）される。
これより、左右側・抜取防止扉２６，２７は、定形外投函口１７を閉じる。
【００４９】
定形外郵便物等Ｚの抜取は、人の手、腕を定形外投函口１７に挿入して実行される。左右側・抜取防止扉２６，２７は、人の手、腕によって各バネ付蝶番２８〜３１のコイルバネ３５のバネ力（付勢力）に抗して、定形外収容室１７内に回転される。
これにより、抜取実行者は、手で定形外収容室１５に収容された定形外郵便物等Ｚを掴み、定形外郵便物等Ｚを定形外投函口１７から抜き出そうと試みる。
このとき、左右側・抜取防止扉２６，２７は、各バネ付蝶番２８〜３１のコイルバネ３５のバネ力（付勢力）によって閉位置Ｆに向けて回転され、定形外投函口１７を閉じるので、定形外郵便物等Ｚを定形外投函口１７から抜取れない。
また、定形外投函口１７は、搬入口５から一番奥側（裏側板体１Ｂ側）に配置されるので、抜取実行者は、手、腕を定形外投函口１７に入れ難くなる。
【００５０】
一方、郵便受けポストＸの所有者等（宛先の居住者）は、取出口開閉扉２０のダイヤル錠２３を操作して、爪板２３Ａを本体内に収納する。
続いて、所有者等は、取出口開閉扉２０を回転して、定形取出口１８及び定形外取出口１９を同時に開き、定形収容室１４（定形受け板体１２）から定形郵便物等Ｙを取出し、定形外収容室１５（定形外受け板体１３）から定形外郵便物等Ｚを取出す。
【００５１】
本考案に係る郵便受けポストＸでは、図１乃至図５に示すように、ポスト本体１外側にインターホン５１を配置するインターホン空所５２を形成する構成を採用できる。
ポスト本体１において、表側板体１Ａの上部は、図５に示すように、定形収容室１４側に突出傾斜して、インターホン収容空所５２を形成する。
このとき、表側板体１Ａの上部、及び定形受け縦板１２Ａ間は、定形郵便物等Ｙを挿通できる間隔を隔てる。
【００５２】
本考案に係る郵便受けポストＸにおいて、ポスト本体１の形状は、直方体（中空直方体）に限定されない。
【００５３】
本考案に係る郵便受けポストＸにおいて、発光素子６１を備える構成も採用できる。
図５において、発光素子６１は、発光ダイオードで構成され、電源回路（図示しない）に接続される。発光素子６１は、例えば、搬入空所３内に配置され、定形投函口１６、定形外投函口１７を光照射する。
また、左右側・抜取防止扉２６，２７は、光透過性樹脂で形成する。例えば、左右側・抜取防止扉２６，２７を透明、半透明ポリカーボネートで形成する。これにより、定形外投函口１７から定形外収容室１５に収容される定形外郵便物等Ｚを目視できる。
なお、発光素子６１は、定形外収容室１５内に配置して、定形外収容室１５内から定形投函口１７（左右側・抜取防止扉２６，２７）を光照射する構成も採用できる。
また、左右側・抜取防止扉２６，２７は、樹脂製に限定されず、鉄、アルミニウム等の金属で形成しても良い。
【００５４】
本考案に係る郵便受けポストＸにおいて、ポスト本体１は、例えば、本体高さ寸法Ｌ＝１４００ｍｍ、本体幅寸法Ｈ＝１６０ｍｍ、本体奥行き寸法Ｔ＝４２６ｍｍとする。
定形投函口１６は、例えば、投函口幅寸法Ｈ１＝１３０ｍｍ、投函口奥行き寸法Ｔ１＝２０ｍｍとする。投函板体２において、間隔δ１＝４４５ｍｍとする。
これにより、定形郵便物等Ｙ及び定形外郵便物等Ｚは、搬入口５から搬入空所３に搬入できる。
また、定形外投函口１７は、例えば、投函口幅寸法Ｈ１＝１３０ｍｍ、投函口奥行き寸法Ｔ２＝２９２ｍｍとする。
これにより、定形郵便物等Ｙについて、定形投函口１６から定形収容室１４に投函でき、定形外郵便物等Ｚについて、厚み１０ｍｍを超える長形３号等の封筒を定形外投函口１７から定形収容室１５に投函できる。
定形外郵便物等Ｚについて、Ａ４サイズ又はＢ５サイズのカタログ、雑誌又は書籍等を定形外投函口１７から定形外収容室１５に投函でき、特に厚さ１０ｍｍを超えても投函できる。
更に、定形受け板体１２（定形収容室１４）において、間隔δ２＝７６．８ｍｍ、間隔δ４＝４５８．４ｍｍにすることで、定形郵便物等Ｙを定形収容室１４（定形受け板体１２）に収容できる。
また、定形外収容室１５において、間隔δ３＝２９２．２ｍｍ、間隔δ５＝６２０ｍｍにすることで、定形外郵便物等Ｚを定形外収容室１５に収容できる。
なお、郵便受けポストＸにおいて、ポスト本体１の各寸法Ｌ，Ｈ，Ｔ、定形投函口１６の各寸法Ｈ１，Ｔ１、及び定形外投函口１７の各寸法Ｈ１，Ｔ２は例示であり、適宜変更することができる。
更に、ポスト本体１の本体高さ寸法Ｌ＝１４００ｍｍ、本体幅寸法Ｈ＝１６０ｍｍ、及び本体奥行き寸法Ｔ＝４２６ｍｍにすると、住宅等の門柱に兼用できる。
【００５５】
本考案に係る郵便受けポストＸでは、図１２に示すように、左右側・抜取防止扉２６，２７を投函板体２の下方側（定形外収容室１５内）に傾斜配置して、定形投函口１７を開閉する構成も採用できる。なお、図１２において、図１乃至図１１と同一符号は同一部材、同一構成であるので、その詳細な説明は省略する。
【００５６】
図１２において、投函板体２は、ポスト本体１の天側板体１Ｃに平行配置される投函平板２Ａ、及び左右方向ＬＲの投函平板２Ａ両端から突出する投函縦片２Ｂ，２Ｃで構成される。
投函平板２Ａには、図１乃至図１１と同様、定形投函口１６及び定形外投函口１７を形成する。各投函縦片２Ｂ，２Ｃは、投函平板２Ａに直交して、収容空所４（定形収容室１４、定形外収容室１５）内に突出する。
投函板体２は、各投函縦片２Ｂ，２Ｃをポスト本体１の左右側板体１Ｅ，１Ｆに固定して、ポスト本体１の上下部に搬入空所３及び収容空所４を区画する。
【００５７】
図１２において、左右側・抜取防止扉２６，２７は、定形外収容室１５内に配置され、定形外投函口１７を開閉する。
左右側・抜取防止扉２６，２７において、扉表側２６Ａは、定形外投函口１７左右側の投函平板２Ａの板裏側２ａに対向配置される。
左右側・抜取防止扉２６，２７は、上下方向ＵＤにおいて、投函平板２Ａに角度θで傾斜して配置される。左右側・抜取防止扉２６，２７は、各投函縦片２Ｂ，２Ｃ側から定形外収容室１５内に向いつつ角度θで傾斜される。
【００５８】
左右側・抜取防止扉２６，２７は、止部材６５，６６を備える。
止部材６５は、左側・抜取防止扉２６の扉表側２６Ａに固定される。止部材６５は、閉位置において、定形外投函口１７左側の投函平板２Ａの板裏側２ａに当接し、左側・抜取防止扉２６を角度θ（例えば、角度θ＝５〜１５°）で傾斜させる（図１２参照）。
止部材６６は、右側・抜取防止扉２７の扉表側２７Ａに固定される。止部材６６は、閉位置において、定形外投函口１７右側の投函平板２Ａの板裏側２ａに当接し、右側・抜取防止扉２７を角度θで傾斜させる。
左右側・抜取防止扉２６，２７は、左右方向ＬＲにおいて、間隔δ９を隔てて並行配置される。間隔δ９は、上下方向ＵＤにおいて、搬入空所３及び定形外収容室１５に開口する。間隔δ９は、表裏方向ＦＲにおいて、定形外投函口１７にわたって形成される。間隔δ９は、例えば２０ｍｍ〜４０ｍｍとされ、この間隔δ９（δ９＝２０ｍｍ〜４０ｍｍ）になるように角度θを調整する。
【００５９】
図１２において、各バネ付蝶番２８〜３１は、定形外収容室１５内に配置され、各抜取防止扉２６，２７を回転自在に支持する。各バネ付蝶番２８〜３１において、蝶番軸３２は表裏方向ＦＲに軸心を向けて配置され、各抜取防止扉２６，２７を観音開き可能にする。
左側・バネ付蝶番２８，２９は、蝶番板片３３を投函縦片２Ｂ内側に固定し、蝶番板片３４を左側・抜取防止扉２６の扉裏側２６Ｂに固定する。
右側・バネ付蝶番３０，３１は、蝶番板片３３を投函縦片２Ｃ内側に固定し、蝶番板片３４を右側・抜取防止扉２７の扉裏側２７Ｂに固定する。
左右側・抜取防止扉２６，２７は、各バネ付蝶番２８〜３１のコイルバネ３５のバネ力（付勢力）によって各止部材６５，６６を投函平板２Ａ（板裏側２ａ）に当接され、角度θで傾斜する閉位置に保持される。
左右側・抜取防止扉２６，２７は、各バネ付蝶番２８〜３１のコイルバネ３５のバネ力（付勢力）に抗して、定形外収容室１５内に回転され、間隔δ９を拡大しつつ定形外投函口１７を開く。これにより、定形外郵便物等Ｚは、定形外投函口１７から定形外収容室１５に投函できる。
【００６０】
図１２において、左右側・抜取防止扉２６，２７は、間隔δ９、例えばδ９＝２０ｍｍ〜４０ｍｍを隔てて配置する。間隔δ９より薄い定形外郵便物Ｚは、左右側・抜取防止扉２６，２７を回転することなく、間隔δ９（隙間）から定形外収容室１５に投函できる。
左右側・抜取防止扉２６，２７の閉位置において、隙間δ９は第１定形外投函口として機能し、間隔δ９より薄い定形外郵便物等Ｚを定形外収容室１５に投函できる。
定形外投函口１７は、第２定形外投函口として機能し、間隔δ９を超える厚さの定形外郵便物等Ｚを定形外収容室１５に投函できる。
【００６１】
図１２において、左右側・抜取防止扉２６，２７は、投函平板２Ａに角度θで傾斜して配置されるので、左右側・抜取防止扉２６，２７の回転量を少なくして、定形外郵便物等Ｚを定形外収容室１５に投函できる。
なお、左右側・抜取防止扉２６，２７は、投函平板２Ａに平行配置しても良く、閉位置において、扉表側２６Ａ，２７Ａを投函平板２Ａの板裏側２ａに当接させる。
また、各止部材６５，６６は、定形外投函口１７の左右側において、投函平板２Ａの板裏側２ａに固定しても良く、左右側・抜取防止扉２６，２７は、閉位置において、扉表側２６Ａ，２７Ａを各止部材６５，６６に当接して、角度θで傾斜配置する。
【００６２】
本考案に係る郵便受けポストＸは、図２に示すように、ポスト本体１の右側板体１Ｆに表札７１を設ける構成も採用できる。表札７１は、ポスト本体１の上部に配置され、複数の発光素子７２で光照射される。各発光素子７２は、発光ダイオードで構成され、右側板体１Ｆ上端側に位置して、表裏方向ＦＲに間隔を隔てて配置される。各発光素子７２は、電源回路（図示しない）に接続される。
これにより、郵便事業者等、及び来客者は、表札７１を複数の発光素子７２の光照射によって暗闇（夜）でも視認できる。
【００６３】
本考案に駆る郵便受けポストＸは、図３及び図５に示すように、左側板体１Ｅに複数の発光素子８２，８３を設けて、ダイヤル錠２３及び収容空所４を光照射する構成も採用できる。
各発光素子８２，８３は、上下方向ＵＤにおいて、取出口開閉扉２０の上方に位置して、左側板体１Ｅに取付けられる。発光素子８２は、ポスト本体１外に位置して、左側板体１Ｅに固定され、ダイヤル錠２３を光照射する。発光素子８３は、ポスト本体１内に位置して、左側板体１Ｅに固定され、収容空所４内（特に、定形外収容室１５内）を光照射する。各発光素子８２，８３は、電源回路（図示しない）に接続される。
これにより、郵便受けポストＸの所有者等（宛先の居住者）は、ダイヤル錠２３を発光素子８２の光照射によって暗闇（夜）であっても視認できる。また、郵便受けポストＸの所有者等は、取出口開閉扉２０で定形取出口１８、及び定形外取出口１９を同時に開いたとき、発光素子８３の光照射によって暗闇（夜）であっても収容空所４内の定形郵便物等Ｙ、定形外郵便物Ｚ（特に、定形外収容室１５内の定形外郵便物等Ｚ）を視認できる。
【産業上の利用可能性】
【００６４】
本考案は、投函される定形郵便物等、及び定形外郵便物等を収容する郵便受けポストに最適である。
【符号の説明】
【００６５】
Ｘ  郵便受けポスト
Ｙ  定形郵便物等
Ｚ  定形外郵便物等
１  ポスト本体
２  投函板体
３  搬入空所
４  収容空所
５  搬入口
６  搬入口開閉扉
１４  定形収容室
１５  定形外収容室
１６  定形投函口
１７  定形外投函口
１８  定形取出口
１９  定形外取出口
２０  取出口開閉扉
【図１】
0003186948.tif 000003
【図２】
0003186948.tif 000004
【図３】
0003186948.tif 000005
【図４】
0003186948.tif 000006
【図５】
0003186948.tif 000007
【図６】
0003186948.tif 000008
【図７】
0003186948.tif 000009
【図８】
0003186948.tif 000010
【図９】
0003186948.tif 000011
【図１０】
0003186948.tif 000012
【図１１】
0003186948.tif 000013
【図１２】
0003186948.tif 000014